【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
デバイスの使用制限を示すデバイス制御情報を発行する管理装置と、前記デバイス制御情報の範囲内で前記デバイスで処理するためのジョブを発行する情報処理装置と、前記ジョブを処理するデバイスとを含むデバイス管理システムであって、
前記管理装置は、
前記情報処理装置のユーザに対する前記デバイスのデバイス制御情報を発行する発行手段を備え、
前記情報処理装置は、
前記発行手段が発行したデバイス制御情報を受信する受信手段と、
前記受信手段がデバイス制御情報を受信したかを判定する判定手段と、
前記受信手段がデバイス制御情報を受信していないと判定した場合に、予め準備されているデバイス制御情報を取得する取得手段と、
前記判定手段が、前記受信手段がデバイス制御情報を受信していないと判定した場合に、前記ネットワークを介して、前記取得手段で取得したデバイス制御情報の範囲内の処理を実行するジョブを前記デバイスへ送信し、前記判定手段が、前記デバイス制御情報を受信したと判定した場合には、前記受信手段が受信したデバイス制御情報の範囲内の処理を実行するジョブをデバイスへ送信する送信手段とを備え、
前記デバイスは、
前記情報処理装置から前記送信手段が送信するジョブを受信する受信手段と、
前記取得手段が取得したデバイス制御情報の範囲内で、前記受信手段で受信した前記ジョブを処理する処理手段と
を備えることを特徴とするデバイス管理システム。
【請求項２】
管理装置から受け取った、デバイスの使用制限を示すデバイス制御情報の範囲内の処理を実行するジョブをデバイスに対して送信する情報処理装置であって、
前記デバイス制御情報を前記管理装置から受信する受信手段と、
前記デバイス制御情報を前記管理装置から受信したかを判定する判定手段と、
前記判定手段が前記デバイス制御情報を前記管理装置から受信していないと判定した場合、予め準備されているデバイス制御情報を取得する取得手段と、
前記判定手段が前記デバイス制御情報を前記管理装置から受信していないと判定した場合には、前記取得手段が取得したデバイス制御情報の範囲内の処理を実行するジョブを前記デバイスへ送信し、前記判定手段が前記デバイス制御情報を前記管理装置から受信したと判定した場合には、前記受信手段が受信したデバイス制御情報の範囲内の処理を実行するジョブを送信する送信手段と
を備えることを特徴とする情報処理装置。
【請求項３】
前記管理装置から前記デバイス制御情報を取得できない場合、その旨を示す警告情報を出力する出力手段を更に備える
ことを特徴とする請求項２に記載の情報処理装置。
【請求項４】
前記取得手段で取得したデバイス制御情報に含まれる使用可否情報に基づいて、前記デバイスで処理するためのジョブを生成する生成手段を更に備える
ことを特徴とする請求項２に記載の情報処理装置。
【請求項５】
前記取得手段で取得したデバイス制御情報に含まれる、前記デバイス制御情報の再利用を許可する場合の再利用の許可条件を示す制限情報に基づいて、前記デバイスで処理するためのジョブを生成する
ことを特徴とする請求項２に記載の情報処理装置。
【請求項６】
前記制限情報は、前記デバイス制御情報の使用回数制限、使用期間、再利用時に保持すべきログ情報、前記デバイスでの処理内容を示す指示情報の少なくとも１つを含む
ことを特徴とする請求項５に記載の情報処理装置。
【請求項７】
前記取得手段は、当該情報処理装置が有する保持手段から、予め準備されているデバイス制御情報を取得する
ことを特徴とする請求項２に記載の情報処理装置。
【請求項８】
前記取得手段は、前記デバイスから、前記予め準備されているデバイス制御情報を取得する
ことを特徴とする請求項２に記載の情報処理装置。
【請求項９】
ジョブの生成後、要求した前記デバイス制御情報の再要求を試行して、該デバイス制御情報を前記管理装置から取得できた場合、前記送信手段は、その取得したデバイス制御情報を前記ジョブへ含めて前記デバイスへ送信する
ことを特徴とする請求項２に記載の情報処理装置。
【請求項１０】
受信したジョブに含まれるデバイス制御情報に基づいて、該デバイス制御情報の有効性を判別する判別手段を更に備え、
前記判別手段の判別結果に基づいて、前記処理手段は、前記ジョブを処理する
ことを特徴とする請求項２に記載の情報処理装置。
【請求項１１】
前記判別手段は、更に、受信したジョブに含まれる前記デバイス制御情報が再利用が許可されているデバイス制御情報である場合、それに含まれる再利用条件を示す制限情報に基づいて、該デバイス制御情報の有効性を判別する
ことを特徴とする請求項１０に記載の情報処理装置。
【請求項１２】
前記判別手段の判別の結果、前記デバイス制御情報が無効である場合、前記処理手段は、前記受信手段で受信したジョブの処理をキャンセルする
ことを特徴とする請求項１０または１１に記載の情報処理装置。
【請求項１３】
デバイスの使用制限に関するデバイス制御情報に従って前記デバイスで処理するためのデバイスジョブを生成する情報処理装置と、前記デバイスジョブに基づいて処理を行うデバイスとネットワークを介して接続され、前記デバイス制御情報を生成する管理装置であって、
前記ネットークを介する前記情報処理装置からの要求に対し、その該情報処理装置のユーザに対する前記デバイスのデバイス制御情報を発行する発行手段と、
前記デバイス制御情報の再利用の可否を示す再利用可否情報を設定する設定手段と
を備えることを特徴とする管理装置。
【請求項１４】
前記管理装置は、更に、前記デバイス制御情報の再利用の可否を示す再利用可否情報を設定する設定手段を備え、
前記発行手段は、前記使用可否情報を含む前記デバイス制御情報を発行する
ことを特徴とする請求項１３に記載の管理装置。
【請求項１５】
デバイスの使用制限を示すデバイス制御情報を発行する管理装置と、前記管理装置が発行する前記デバイス制御情報に従って前記デバイスで処理するためのジョブを生成する情報処理装置と通信する画像処理装置であって、
前記情報処理装置に対して準備しているデバイス制限情報を送信する送信手段と、
前記情報処理装置から前記送信手段が送信したデバイス制限情報を含むジョブを受信する受信手段と、
前記受信手段で受信したジョブに含まれる前記デバイス制御情報が再利用が許可されているデバイス制御情報である場合、それに含まれる再利用条件を示す制限情報に基づいて、該デバイス制御情報の有効性を判定する判定手段と、
前記判定手段の判定結果に基づいて、前記ジョブを処理する処理手段と
を備えることを特徴とする画像処理装置。
【請求項１６】
管理装置から受け取った、デバイスの使用制限を示すデバイス制御情報の範囲内の処理を実行するジョブをデバイスに対して送信する情報処理装置の制御方法であって、
前記デバイス制御情報を前記管理装置から受信する受信工程と、
前記デバイス制御情報を前記管理装置から受信したかを判定する判定工程と、
前記判定工程が前記デバイス制御情報を前記管理装置から受信していないと判定した場合、予め準備されているデバイス制御情報を取得する取得工程と、
前記判定工程が前記デバイス制御情報を前記管理装置から受信していないと判定した場合には、前記取得工程が取得したデバイス制御情報の範囲内の処理を実行するジョブを前記デバイスへ送信し、前記判定工程が前記デバイス制御情報を前記管理装置から受信したと判定した場合には、前記受信工程が受信したデバイス制御情報の範囲内の処理を実行するジョブを送信する送信工程と
を備えることを特徴とする情報処理装置の制御方法。
【請求項１７】
デバイスの使用制限に関するデバイス制御情報に従って前記デバイスで処理するためのデバイスジョブを生成する情報処理装置と、前記デバイスジョブに基づいて処理を行うデバイスとネットワークを介して接続され、前記デバイス制御情報を生成する管理装置の制御方法であって、
前記ネットークを介する前記情報処理装置からの要求に対し、その該情報処理装置のユーザに対する前記デバイスのデバイス制御情報を発行する発行工程と、
前記デバイス制御情報の再利用の可否を示す再利用可否情報を設定する設定工程と
を備えることを特徴とする管理装置の制御方法。
【請求項１８】
デバイスの使用制限を示すデバイス制御情報を発行する管理装置と、前記管理装置が発行する前記デバイス制御情報に従って前記デバイスで処理するためのジョブを生成する情報処理装置と通信する画像処理装置の制御方法であって、
前記情報処理装置に対して準備しているデバイス制限情報を送信する送信工程と、
前記情報処理装置から前記送信工程が送信したデバイス制限情報を含むジョブを受信する受信工程と、
前記受信工程で受信したジョブに含まれる前記デバイス制御情報が再利用が許可されているデバイス制御情報である場合、それに含まれる再利用条件を示す制限情報に基づいて、該デバイス制御情報の有効性を判定する判定工程と、
前記判定工程の判定結果に基づいて、前記ジョブを処理する処理工程と
を備えることを特徴とする画像処理装置の制御方法。
【請求項１９】
請求項１６乃至１８のいずれか１項に記載の制御方法をコンピュータに実行させるためのプログラム。
【手続補正２】
【補正対象書類名】明細書
【補正対象項目名】００１７
【補正方法】変更
【補正の内容】
【００１７】
また、好ましくは、ジョブの生成後、要求した前記デバイス制御情報の再要求を試行して、該デバイス制御情報を前記管理装置から取得できた場合、前記送信手段は、その取得したデバイス制御情報を前記ジョブへ含めて前記デバイスへ送信する。